(57)【要約】【課題】外部記憶装置に装着し易く、当初の装着位置から位置ずれし難く、薄肉であっても優れた衝撃吸収性や振動減衰性を発揮できる緩衝部材の提供。【解決手段】軟質部６に保形芯材７を設ける。このため軟質部６が柔らかく変形し易くても保形芯材７が形状を保持するため、容易に取扱うことができる。そしてハードディスク装置２への装着時には軟質部６が形状を維持しつつ正確な位置に確実に取付けることができる。よって正確に取付けた状態で優れた衝撃吸収効果と振動減衰効果を実現できる。【選択図】図１
2009087455.tif 000002
【特許請求の範囲】
【請求項１】
情報処理装置に設けられる格納部の内部で箱状の外部記憶装置を弾性支持する緩衝部材において、
外部記憶装置の上面側、側面側及び底面側を各々弾性支持する上面支持部、側面支持部及び底面支持部を有する断面コ字状の軟質部に、該軟質部の形状を保持する保形芯材を備えることを特徴とする緩衝部材。
【請求項２】
保形芯材に、箱状の外部記憶装置の角部に対して当接係止する断面Ｌ字状の係止面を設ける請求項１記載の緩衝部材。
【請求項３】
保形芯材を外部記憶装置を差し込ませて保持する断面コ字状に形成するとともに軟質部における断面コ字状の内面に設ける請求項１又は請求項２記載の緩衝部材。
【請求項４】
軟質部の上面支持部及び底面支持部に、対向する格納部に固定する固着部を設ける請求項３記載の緩衝部材。
【請求項５】
保形芯材に外部記憶装置と格納部とに接触して電気的に接続する接続部を設ける請求項１〜請求項４何れか１項記載の緩衝部材。
【請求項６】
軟質部が熱可塑性エラストマーでなり、保形芯材が樹脂成形体又は樹脂フィルムでなる請求項１〜請求項５何れか１項記載の緩衝部材。
【発明の詳細な説明】
【技術分野】
【０００１】
本発明は、例えばノートブックタイプのパーソナルコンピュータ、カーオーディオ装置、カーナビゲーション装置、携帯オーディオプレーヤ、デジタルビデオカメラのような情報処理装置に収容するハードディスク装置などの外部記憶装置を衝撃や振動から保護する緩衝部材に関する。
【背景技術】
【０００２】
情報処理装置としてのノートブックタイプのパーソナルコンピュータ（以下、「ノートＰＣ」と略記する。）１の格納部１ａには、図１７で示すように、ディスク状記憶媒体を収容する外部記憶装置としてのハードディスク装置２が格納されている。このハードディスク装置２は、上面３ａと底面３ｂを略矩形とした箱状の筐体３を備えており、筐体３の長手側面３ｃには軟質のゴム状弾性体でなる緩衝部材４が装着されている。
【０００３】
この緩衝部材４には、ハードディスク装置２の筐体３の長手側面３ｃを保護する側面支持部４ａが形成されており（図１８）、この側面支持部４ａの上端及び下端は、筐体３の上面３ａや底面３ｂの面端よりも上方と下方にそれぞれ突出している。また緩衝部材４には、長手側面３ｃと連続する筐体３の上面３ａと底面３ｂの縁部分をそれぞれ覆うように、側面支持部４ａから片持ち梁状に突出する上面支持部４ｂと底面支持部４ｃとが形成されている（特許文献１）。
【特許文献１】特開２００５−３８５３８号公報
【発明の開示】
【発明が解決しようとする課題】
【０００４】
以上のような緩衝部材４は、図１８で示すようにハードディスク装置２をノートＰＣ１の格納部１ａに格納することで、ハードディスク装置２と格納部１ａとの隙間に挟み込まれた状態で配置される。そして柔らかく変形し易いゴム状弾性体の弾性変形によって、衝撃や振動からハードディスク装置２を保護するものである。ところが衝撃吸収や振動減衰に寄与する緩衝部材４の柔らかさは、それが却って欠点となってしまうことがある。
【０００５】
第１に、緩衝部材４は柔らかく変形し易いゴム状弾性体で形成されているため、取扱いにくくハードディスク装置２への装着が困難である。そして確実に装着することができないと、目的とする衝撃吸収性や振動減衰性を得られない場合もある。
【０００６】
第２に、柔らかく変形し易い緩衝部材４は、衝撃や振動を受けて当初の正しい装着位置から徐々にずれてしまうことがあり、当初発揮していた衝撃吸収性や振動減衰性を持続的に発揮できなくなるおそれがある。
【０００７】
また、ノートＰＣ１のような情報処理装置は薄型化が追求されており、これに伴って緩衝部材４も薄肉化が要請されている。したがって十分な肉厚によって衝撃吸収性や振動減衰性を確保するという設計ができなくなってきており、薄肉化しても必要な衝撃吸収性と振動吸収性を発揮できることが求められている。
【０００８】
以上のような従来技術を背景としてなされたのが本発明である。すなわち、本発明の目的は、ハードディスク装置などの外部記憶装置に装着し易い緩衝部材を提供することにある。また本発明の他の目的は、当初の装着位置から位置ずれし難い緩衝部材を提供することにある。さらに本発明の他の目的は、薄肉であっても優れた衝撃吸収性や振動減衰性を発揮することができる緩衝部材を提供することにある。
【課題を解決するための手段】
【０００９】
上記目的を達成すべく本発明は以下のように構成される。
【００１０】
すなわち、本発明は、情報処理装置に設けられる格納部の内部で箱状の外部記憶装置を弾性支持する緩衝部材について、外部記憶装置の上面側、側面側及び底面側を各々弾性支持する上面支持部、側面支持部及び底面支持部を有する断面コ字状の軟質部に、該軟質部の形状を保持する保形芯材を備えることを特徴とする緩衝部材を提供する。
【００１１】
本発明では、軟質部が柔らかく変形し易くても保形芯材が軟質部の形状を保持するため、容易に取扱うことができる。そして外部記憶装置に装着する際には軟質部が形状を維持しつつ正確な位置に確実に取付けることができる。よって正確に取付けた状態で優れた衝撃吸収効果と振動減衰効果を実現できる。このような保形芯材の材質は軟質部の形状を保持できるものであり、具体的には例えば樹脂、金属、セラミックスなどの単体、又はこれらの複合体を使用できる。
【００１２】
本発明は前記緩衝部材について、保形芯材に、箱状の外部記憶装置の角部に対して当接係止する断面Ｌ字状の係止面を設ける。このため実装時に振動や衝撃を受けて緩衝部材が位置ずれしようとしても断面Ｌ字状の係止面が外部記憶装置の角部に引っかかり、外部記憶装置と格納部との隙間に沿うように位置ずれすることを防止できる。よって当初の衝撃吸収性や振動減衰性を持続的に発揮できる。
【００１３】
本発明は前記緩衝部材について、保形芯材を外部記憶装置を差し込ませて保持する断面コ字状に形成するとともに軟質部における断面コ字状の内面に設ける。保形芯材が軟質部と同様に断面コ字状であるため、緩衝部材を断面コ字状の形状に保持できる。よって緩衝部材の断面コ字状の開口を外部記憶装置の側面側から差し込めば、緩衝部材を外部記憶装置に対し簡単に装着できる。
【００１４】
また保形芯材を軟質部の内面に設けているため、保形芯材における断面コ字状の内面を外部記憶装置の上面、側面及び底面に対し接触状態で装着できる。即ち、保形心材が衝撃や振動を受けると外部記憶装置の変位と連動する。このため軟質部をより効果的に衝撃吸収や振動減衰に機能させることができる。
【００１５】
このことを前述の従来技術の緩衝部材４をも引用しつつ具体的に説明すれば、情報処理装置が衝突すると、格納部に収容されている外部記憶装置は慣性によって衝突側に強く付勢されてから受け止められることで衝撃を受ける。前述の従来技術の緩衝部材４では、緩衝部材４のうち衝突側の格納部１ａと外部記憶装置２との間に介在する部分（側面支持部４ａ、上面支持部４ｂ又は底面支持部４ｃの何れか）のみが、圧縮されて衝撃を吸収する。しかし本発明では、外部記憶装置の変位とともに保形芯材が連動するため、衝突側で圧縮される軟質部の部分に加えて、ここに隣接する軟質部の部分に衝突方向に向かう剪断方向の外力がかかる。よって外力のかかる軟質部の部分が従来の緩衝部材４より広がり、優れた衝撃吸収効果を発揮できる。
【００１６】
本発明は前記断面コ字状の保形芯材を軟質部の内面に設ける緩衝部材について、軟質部の上面支持部及び底面支持部に、対向する格納部に固定する固着部を設ける。この固着部を格納部に固定すれば、例えば剛性の保形芯材が外部記憶装置とともに移動した場合でも軟質部における上面支持部及び底面支持部の格納部との対向面は格納部に密着している。このため衝撃を受けたとき、衝突側で圧縮方向の外力がかかる軟質部の部分に加えて、ここに隣接する軟質部の部分に衝突側に向かう剪断方向の外力がかかる。そしてさらに本発明では、衝突側とは反対の軟質部の部分に衝突側に向かう引張方向の外力がかかる。よって外力のかかる軟質部の部分が従来の緩衝部材より広がり、薄肉の緩衝部材であっても優れた衝撃吸収性を発揮できる。
【００１７】
本発明は前記緩衝部材について、保形芯材に外部記憶装置と格納部とに接触して電気的に接続する接続部を設ける。このため外部記憶装置に帯電する静電気を保形芯材を通して格納部又は格納部と導通する情報処理装置の筐体へ逃がすことができる。よって外部記憶装置の誤動作を防ぐことができる。
【００１８】
本発明は前記緩衝部材について、軟質部が熱可塑性エラストマーでなり、保形芯材が樹脂成形体又は樹脂フィルムでなる。このため軟質部と保形芯材を二色成形やインサート成形などによって簡単に一体化できる。しかもこのように一体化した緩衝部材の軟質部と保形芯材とは、熱融着や形状的連結などによって強固に固着できる。
【発明の効果】
【００１９】
本発明の緩衝部材によれば、保形芯材が柔らかく変形しやすい軟質部の形状を保持するため、容易に取扱うことができる。そして外部記憶装置に装着する際には軟質部が形状を維持しつつ正確な位置に確実に取付けることができる。よって正確に取付けた状態で優れた衝撃吸収効果と振動減衰効果を実現できる。
【００２０】
また本発明の緩衝部材によれば、保形芯材に箱状の外部記憶装置の角部に対して当接係止する断面Ｌ字状の係止面を設けるため、実装時に振動や衝撃を受けて緩衝部材が位置ずれしようとしても係止面が外部記憶装置の角部に引っかかる。よって外部記憶装置と格納部との隙間に沿うように位置ずれすることを防止でき、当初の衝撃吸収性や振動減衰性を持続的に発揮できる。
【００２１】
さらに本発明の緩衝部材によれば、断面コ字状の軟質部の内面に断面コ字状の保形芯材を設けているため、保形芯材における断面コ字状の内面を外部記憶装置の上面、側面及び底面に対し接触状態で装着できる。保形心材が衝撃や振動を受けると外部記憶装置の変位と連動するため、外力のかかる軟質部の部分が従来の緩衝部材より広がり、軟質部をより効果的に衝撃吸収や振動減衰に機能させることができる。よって優れた衝撃吸収効果を発揮できる。
【発明を実施するための最良の形態】
【００２２】
以下、本発明の実施形態の例について図面を参照しつつ説明する。以下に説明する実施形態では、ノートＰＣ１に搭載されるハードディスク装置２に適用する例であるが、光ディスク装置など各種ディスクメディアのドライブ装置に対しても適用でき、また、これらの外部記憶装置を用いた卓上パソコンやカーオーディオ装置、カーナビゲーション装置、携帯オーディオプレーヤ、デジタルビデオカメラなどのような他の情報処理装置に対しても適用できる。なお、各実施形態で共通する構成については、同一符号を付して重複説明を省略する。
【００２３】
第１実施形態〔図１〜図３（Ａ）〕
第１実施形態の緩衝部材５は、軟質部６と保形芯材７とで構成されており、図１で示すように、ハードディスク装置２における筐体３の長手側面３ｃに装着して使用される。
【００２４】
軟質部６はゴム状弾性体で形成されており、本実施形態の軟質部６は具体的には熱可塑性エラストマー、より具体的にはスチレン系熱可塑性エラストマーで形成されている。この軟質部６は、ハードディスク装置２における筐体３の長手側面３ｃに沿う側面支持部６ａと、この側面支持部６ａの一端から筐体３の上面３ａへ突出する上面支持部６ｂと、同様に他端から底面３ｂへ突出する底面支持部６ｃと、によって断面コ字状に構成されている。側面支持部６ａの両端部は、筐体３の上面３ａや底面３ｂより外方に突出している。上面支持部６ｂ及び底面支持部６ｃの外側面は、側面支持部６ａの端部から上面３ａ又は底面３ｂの面内に向かって各々平坦な傾斜面を形成している。
【００２５】
保形芯材７は硬質樹脂で形成されており、より具体的にはポリプロピレン樹脂で形成されている。この保形芯材７は、筐体３の長手側面３ｃに沿って延びるように形成されており、側面支持部６ａの筐体３との対向面に表出するように埋設されている（図３（Ａ））。したがって緩衝部材５をハードディスク装置２に装着すると、保形芯材７は筐体３の長手側面３ｃに接触する。
【００２６】
ここで緩衝部材５の各構成部材の材質について説明する。なお、以下の説明は後述の各実施形態についても共通である。
【００２７】
軟質部６の「ゴム状弾性体」は、硬度がＪＩＳ  ＴＹＰＥ  Ｅ１０〜Ｅ５０の弾性体を用いており、寸法精度、耐熱性、機械的強度、耐久性、信頼性、防振特性、制御特性などの要求性能に応じて、本実施形態の軟質部６として採用する熱可塑性エラストマーの他、熱硬化性ゴム等を用いることができる。硬度がＪＩＳ  ＴＹＰＥ  Ｅ１０より低いと外部記憶装置を安定的に保持することが困難となり、Ｅ５０より高いと要求する振動減衰効果が得られず衝撃を緩衝することもできない。熱可塑性エラストマーとしては、本実施形態の軟質部６として採用するスチレン系熱可塑性エラストマーの他、オレフィン系熱可塑性エラストマー、ポリウレタン系熱可塑性エラストマー、塩化ビニル系熱可塑性エラストマー等を利用できる。また、熱硬化性ゴムとしては、ブチルゴム、アクリルゴム、ウレタンゴム、エチレンプロピレンゴム、フッ素ゴム、シリコーンゴム等を用いることができる。そして以上のようなゴム状弾性体については難燃剤や滑剤などを添加したものでもよい。
【００２８】
保形芯材７は、本実施形態で採用する硬質樹脂の他、金属、セラミックスなどの単体、又はこれらの複合体が使用できる。硬質樹脂は、機械的強度、耐熱性、耐久性、寸法精度、信頼性等の要求性能、及び軽量化や加工性により、熱可塑性樹脂が好ましい。例えば、本実施形態の保形芯材７として採用するポリプロピレン樹脂の他、ポリオレフィン樹脂、ポリエステル樹脂、ポリエチレン樹脂、ポリ塩化ビニル樹脂、ポリスチレン樹脂、アクリロニトリル・ブタジエン・スチレン樹脂、ポリカーボネート樹脂、ポリエチレンテレフタレート樹脂、ポリブチレンテレフタレート樹脂、ポリウレタン樹脂等の熱可塑性樹脂、あるいはこれらの複合樹脂が挙げられる。熱可塑性樹脂に粉末形状や繊維形状の金属、ガラス、フィラー等の充填剤を添加することで剛性、寸法精度、耐熱性の更なる向上もでき、また難燃剤や滑剤などを添加したものでもよい。なお、硬質樹脂に熱可塑性樹脂を用いてゴム状弾性体に熱可塑性エラストマーを用いた場合、二色成形が可能となる。
【００２９】
以上のような緩衝部材５を製造するには、先ず射出成形にてポリプロピレン樹脂でなる保形芯材７を成形する。次に軟質部６の成形用の金型に保形芯材７をインサートし、射出成形にてスチレン系熱可塑性エラストマーでなる軟質部６を成形する。この時、保形芯材７と軟質部６は熱融着によって固着される。最後に軟質部６成形用の金型から固着している軟質部６と保形芯材７を脱型して緩衝部材５を得ることができる。
【００３０】
次に本実施形態の緩衝部材５の作用・効果を説明する。
【００３１】
緩衝部材５によれば、軟質部６が柔らかく変形し易くても保形芯材７が軟質部６の形状を保持するため、容易に取扱うことができる。そしてハードディスク装置２に装着する際には軟質部６が形状を維持しつつ正確な位置に確実に取付けることができる。よって正確に取付けた状態で優れた衝撃吸収効果と振動減衰効果を実現できる。
【００３２】
軟質部６がスチレン系熱可塑性エラストマーでなり、保形芯材７がポリプロピレン系樹脂でなるため、軟質部６と保形芯材７をインサート成形によって簡単に一体化できる。しかも軟質部６と保形芯材７はインサート成形時の熱融着によって強固に固着できる。よって緩衝部材５をハードディスク装置２に装着する際、軟質部６と保形芯材７は剥がれにくく、確実に形状を保持できる。
【００３３】
第１実施形態の変形例〔図３（Ｂ）〕
第１実施形態では、図３（Ａ）で示すように、長尺な帯片状の保形芯材７を軟質部６に埋設しているが、図３（Ｂ）で示すように、短片状の保形芯材７を複数点在させても緩衝部材５の変形を小さくでき、取扱いを容易にできる。また保形芯材７を側面支持部６ａの内部に埋設したり、側面支持部６ａの筐体３との対向面とは反対面に表出するように埋設することも可能である。
【００３４】
第２実施形態〔図４，図５〕
第２実施形態の緩衝部材８が、第１実施形態の緩衝部材５と異なるのは、軟質部９の形状と、「保形芯材」としての係合部１０を備える構成である。残余の構成及びその作用と効果は第１実施形態と同じである。
【００３５】
軟質部９はオレフィン系熱可塑性エラストマーのゴム状弾性体で形成されており、第１実施形態の軟質部６と同様に、筐体３の長手側面３ｃに沿う側面支持部９ａと、上面３ａへ突出する上面支持部９ｂと、底面３ｂへ突出する底面支持部９ｃと、によって断面コ字状に構成されている。係合部１０は、筐体３の上面３ａと長手側面３ｃとの境界となる角部に対して当接するように、軟質部９の側面支持部９ａと上面支持部９ｂとの境界部分に埋設されている。そして上面支持部９ｂ及び底面支持部９ｃの外側面は、側面支持部９ａの端部から上面３ａ又は底面３ｂの面内に向かって各々曲面状の傾斜面を形成している。
【００３６】
係合部１０はポリプロピレン系の硬質樹脂でなり、筐体３の長手側面３ｃに沿って延びる棒形状に形成されている。そして長手側面３ｃに沿って窪み部１０ａが設けられており、断面Ｌ字形状になっている。この窪み部１０ａは、筐体３の上面３ａと長手側面３ｃとの境界となる角部に対して係止するようになっている。
【００３７】
以上のような緩衝部材８を製造するには、二色成形用射出成型機を用意する。一色目の金型にてポリプロピレン系樹脂でなる係合部１０を成形する。移動側の金型が回転した後に二色目の金型にてオレフィン系熱可塑性エラストマーでなる軟質部９を成形する。この時、係合部１０と軟質部９は熱融着によって固着される。最後に金型から固着している軟質部９と係合部１０を脱型して緩衝部材８を得ることができる。
【００３８】
このような緩衝部材８は、窪み部１０ａ，１０ａがハードディスク装置２の両長手側面３ｃ，３ｃに対し、各々上面３ａと長手側面３ｃとの境界となる角部と係止するように装着されて、ノートＰＣ１の格納部１ａに収納される。
【００３９】
第２実施形態の緩衝部材８は、第１実施形態の緩衝部材５と同様の作用と効果を発揮するほか、さらに次の作用・効果を発揮する。
【００４０】
緩衝部材８では、係合部１０が窪み部１０ａを有しており、この窪み部１０ａが筐体３における上面３ａと長手側面３ｃとの境界となる角部と係止するため、実装時に振動や衝撃を受けて緩衝部材８が位置ずれしようとしても係止面がハードディスク装置２の角部に引っかかり、ハードディスク装置２と格納部１ａとの隙間に沿うように位置ずれすることを防止できる。よって当初の衝撃吸収性や振動減衰性を持続的に発揮できる。
【００４１】
第２実施形態の変形例〔図６〕
第２実施形態の緩衝部材８では、軟質部９における筐体３の上面３ａと長手側面３ｃとの境界となる角部と係止する位置に係合部１０を埋設する例を説明したが、第２実施形態の変形例の緩衝部材１１では、軟質部１２における上面３ａと長手側面３ｃとの境界となる角部及び底面３ｂと長手側面３ｃとの境界となる角部の両角部と係止する位置に係合部１３ａ，１３ｂを備える構成としたものである。この係合部１３ａ，１３ｂは、各々上面支持部１２ｂと底面支持部１２ｃの先端まで延びている。上面支持部１２ｂと底面支持部１２ｃの各々の外側面は、傾斜することなく相互に平行に形成されている。このような構成の緩衝部材１１であっても第２実施形態の緩衝部材８と同様に、ハードディスク装置２に対し確実に取付固定でき、実装時に衝撃や振動を受けても緩衝部材１１がハードディスク装置２と格納部１ａとの隙間に沿ってずれることを防止できる。
【００４２】
第３実施形態〔図７〜図１１〕
第３実施形態の緩衝部材１４が、第１実施形態の緩衝部材５と異なるのは、軟質部１５の形状と、「保形芯材」としての係合部１６を備える構成である。残余の構成及びその作用と効果は第１実施形態と同じである。
【００４３】
軟質部１５はスチレン系熱可塑性エラストマーのゴム状弾性体で形成されており、筐体３の長手側面３ｃに沿う側面支持部１５ａと、上面３ａを弾性支持する上面支持部１５ｂと、底面３ｂを弾性支持する底面支持部１５ｃと、によって断面コ字状に構成されている。上面支持部１５ｂと底面支持部１５ｃの各々の外側面は、上面３ａ又は底面３ｂの面内に向かって傾斜することなく相互に平行に形成されている。
【００４４】
係合部１６はポリプロピレン系の硬質樹脂でなり、筐体３の長手側面３ｃと係止する溝部１６ａを有し、断面コ字状に形成されている。そして軟質部１５の筐体３との対向面（内面）に固着されている。
【００４５】
次に、本実施形態の緩衝部材１４の製造方法について説明する。第２実施形態の製造方法と同様に、二色成形用射出成型機を用意する。一色目の金型にてポリプロピレン樹脂でなる係合部１６を成形する。移動側の金型が回転した後に二色目の金型にてスチレン系熱可塑性エラストマーでなる軟質部１５を成形する。この時、係合部１６と軟質部１５は熱融着によって固着される。最後に金型から固着している軟質部１５と係合部１６を脱型して緩衝部材１４を得ることができる。
【００４６】
ここで第３実施形態の緩衝部材１４をハードディスク装置２に装着し格納部１ａに収納する２つの実施形態を説明する。
【００４７】
Ａ．第１の取付構造
第１の取付構造は、ハードディスク装置２の両長手側面３ｃ，３ｃに、緩衝部材１４，１４の溝部１６ａ，１６ａを係合させて、緩衝部材１４，１４を装着する。次にこのハードディスク装置２をノートＰＣ１の格納部１ａに収納する（図８）。
【００４８】
第１の取付構造による第３実施形態の緩衝部材１４は、第１実施形態の緩衝部材５と同様の作用と効果を発揮するほか、さらに次の作用・効果を発揮する。
【００４９】
第１の緩衝部材１４では、硬質樹脂でなり剛性のある係合部１６で形成される溝部１６ａが筐体３の上面３ａ、底面３ｂ、及び長手側面３ｃと係止しているため、上面３ａ側又は底面３ｂ側から伝わる衝撃を受けても溝部１６ａが筐体３との間に隙間をつくることなく連動できる。例えばノートＰＣ１が格納部１ａの蓋１ｂ側から落下衝突し、格納部１ａに収容されているハードディスク装置２が慣性によって格納部１ａの蓋１ｂ側に強く付勢された場合（図９矢示方向Ｆ）を説明する。従来例の緩衝部材４は、図９（Ｂ）で示すように、緩衝部材４のうち衝突側の格納部１ａと筐体３の底面３ｂとの間に介在する底面支持部４ｃに圧縮方向の外力がかかる。このとき外力のかかった底面支持部４ｃにて、落下衝撃を吸収する。他の従来例として、図９（Ｃ）で示すような上面支持部１７ｂと底面支持部１７ｃの外側面が相互に平行な緩衝部材１７でも同様に、底面支持部１７ｃに圧縮方向の外力がかかり、外力のかかった底面支持部１７ｃにて落下衝撃を吸収する。即ち従来例では、側面支持部４ａ，１７ａが落下衝撃を殆ど吸収していない。しかし第３実施形態における第１取付構造の緩衝部材１４では、図９（Ａ）で示すように、係合部１６がハードディスク装置２の変位と連動する。このため軟質部１５の底面支持部１５ｃが係合部１６によって圧縮されると同時に、係合部１６と固着している側面支持部１５ａにも底面支持部１５ｃの方向（剪断方向）への外力がかかる。このように本実施形態では外力のかかった底面支持部１５ｃ及び側面支持部１５ａにて落下衝撃を吸収することができる。よって底面支持部１５ｃに加えて側面支持部１５ａでも衝撃吸収効果を発揮する。したがって薄肉の緩衝部材１４であっても優れた衝撃吸収性と振動減衰性を発揮できる。
【００５０】
Ｂ．第２の取付構造
第２の取付構造では、第１の取付構造と同様にハードディスク装置２の両長手側面３ｃ，３ｃに、溝部１６ａ，１６ａを係合して、緩衝部材１４，１４を装着する。次に上面支持部１５ｂと底面支持部１５ｃの各々の外側面に「固着部」としての両面テープ１８を貼着する。そしてこのハードディスク装置２をノートＰＣ１の格納部１ａに収納する。このとき上面支持部１５ｂと底面支持部１５ｃの各々の外側面は、両面テープ１８によって格納部１ａの内面に貼着される（図１０）。
【００５１】
第２の取付構造による第３実施形態の緩衝部材１４は、第１実施形態の緩衝部材５と同様の作用と効果を発揮するほか、さらに次の作用・効果を発揮する。
【００５２】
第２取付構造の緩衝部材１４では、第１の取付構造と同様に剛性のある係合部１６で形成される溝部１６ａが筐体３の上面３ａ、底面３ｂ、及び長手側面３ｃと係止しているため、上面３ａ側又は底面３ｂ側から伝わる衝撃を受けても溝部１６ａが筐体３との間に隙間をつくることなく連動できる。例えば前述と同様にノートＰＣ１が格納部１ａの蓋１ｂ側から落下衝突し、格納部１ａに収容されているハードディスク装置２が慣性によって格納部１ａの蓋１ｂ側に強く付勢された場合（図１１矢示方向Ｆ）を説明する。前述の従来例（図９（Ｂ），（Ｃ））では側面支持部４ａ，１７ａに加え、落下衝突の際に筐体３の上面３ａとの間に隙間をつくる上面支持部４ｂ，１７ｂも落下衝撃を殆ど吸収していない。しかし第３実施形態における第２取付構造の緩衝部材１４では、図１１で示すように、係合部１６がハードディスク装置２の変位と連動し、軟質部１５の底面支持部１５ｃが係合部１６によって圧縮され、係合部１６と固着している側面支持部１５ａの内面にも底面支持部１５ｃの方向（剪断方向）への外力がかかる。さらに軟質部１５における上面支持部１５ｂの外側面を格納部１ａの内面に固定しているため、上面支持部１５ｂには係合部１６と格納部１ａとの間で引っ張られる外力がかかる。このように本実施形態では外力のかかった底面支持部４ｃ、側面支持部４ａ、及び上面支持部１５ｂにて落下衝撃を吸収する。よって底面支持部１５ｃに加え、側面支持部１５ａ及び上面支持部１５ｂでも衝撃吸収効果を発揮する。したがって薄肉の緩衝部材１４であっても優れた衝撃吸収性と振動減衰性を発揮できる。
【００５３】
第４実施形態〔図１２〕
第４実施形態の緩衝部材１９が、第３実施形態の緩衝部材１４と異なるのは、軟質部２０の構成である。残余の構成及びその作用と効果は第３実施形態と同じである。
【００５４】
軟質部２０はスチレン系熱可塑性エラストマーのゴム状弾性体で形成されており、第３実施形態の軟質部１４と同様に、筐体３の長手側面３ｃに沿う側面支持部２０ａと、上面３ａを弾性支持する上面支持部２０ｂと、底面３ｂを弾性支持する底面支持部２０ｃと、によって断面コ字状に構成されている。上面支持部２０ｂの外側面には、「固着部」としての取付突起２０ｄが突出形成されている。
【００５５】
次に、本実施形態の緩衝部材１９の製造方法について説明する。第２実施形態の製造方法と同様に、二色成形用射出成型機を用意する。一色目の金型にてポリプロピレン系樹脂でなる係合部１６を成形する。移動側の金型が回転した後に二色目の金型にてスチレン系熱可塑性エラストマーでなる取付突起２０ｄを有する軟質部２０を成形する。この時、係合部１６と軟質部２０は熱融着によって固着される。最後に金型から固着している軟質部２０と係合部１６を脱型して緩衝部材１９を得ることができる。
【００５６】
ここで第４実施形態の緩衝部材１９をハードディスク装置２に装着し格納部１ａに収納する実施形態を説明する。第３実施形態の緩衝部材１４と同様に、ハードディスク装置２の両長手側面３ｃ，３ｃに、緩衝部材１９，１９の溝部１６ａを係合して、緩衝部材１９，１９を装着する。次に底面支持部２０ｃの外側面を「固着部」としての両面テープ１８を貼着する。そしてこのハードディスク装置２をノートＰＣ１の格納部１ａに収納する。このとき上面支持部２０ｂの取付突起２０ｄを格納部１ａに形成した貫通孔１ｃに差込み、上面支持部２０ｂを格納部１ａの内面に固定する。他方、底面支持部２０ｃの外側面を両面テープ１８によって格納部１ａの内面に貼着する。
【００５７】
第４実施形態の緩衝部材１９は、第３実施形態の緩衝部材１４と同様の作用と効果を発揮するほか、さらに次の作用・効果を発揮する。
【００５８】
第４実施形態の緩衝部材１９は、第３実施形態における第２取付構造の緩衝部材１４と同様に、例えばノートＰＣ１が格納部１ａの蓋１ｂ側から落下衝突した場合、係合部１６がハードディスク装置２の変位と連動し、軟質部２０の底面支持部２０ｃに圧縮方向の外力がかかり、側面支持部２０ａに剪断方向の外力がかかり、上面支持部２０ｂに引張方向の外力がかかり、それぞれ衝撃吸収効果を発揮する。よって薄肉の緩衝部材１８であっても優れた衝撃吸収性と振動減衰性を発揮できる。
【００５９】
第５実施形態〔図１３，図１４〕
第５実施形態の緩衝部材２１が、第１実施形態の緩衝部材５と異なるのは、軟質部２２の形状と、「保形芯材」としての樹脂フィルム２３を備える構成である。残余の構成及びその作用と効果は第１実施形態と同じである。
【００６０】
軟質部２２はブチルゴムのゴム状弾性体で形成されており、第１実施形態の軟質部６と同様に、筐体３の長手側面３ｃに沿う側面支持部２２ａと、上面３ａへ突出する上面支持部２２ｂと、底面３ｂへ突出する底面支持部２２ｃと、によって断面コ字状に構成されている。側面支持部２２ａの端面と上面支持部２２ｂ及び底面支持部２２ｃの各々の外側面との間には段差を有しており、その上面支持部２２ｂと底面支持部２２ｃの外側面は、傾斜することなく相互に平行に形成されている。
【００６１】
樹脂フィルム２３はポリエチレンテレフタレート樹脂を基材とし、片面に例えばＩＴＯ膜や銅箔など「接続部」としての導電層を積層している。この樹脂フィルム２３は導電層を表出するように、軟質部２２の筐体３との対向面（内面）から上面支持部２２ｂの外側面にわたって軟質部２２に対しゴム系接着剤で固着されている。即ち、樹脂フィルム２３は溝部２３ａを形成し、屈曲して上面支持部２２ｂの外側面へ繋がっている。
【００６２】
次に、本実施形態における緩衝部材２１の製造方法の一例を説明する。先ずポリエチレンテレフタレート樹脂でなる基材の一方面に銅箔などの導電層を積層し、他方面にブチルゴム接着剤を塗布して樹脂フィルム２３を得る。次に軟質部２２の成形用の金型に、導電層が金型面と接するようにこの樹脂フィルム２３をインサートした後、金型のキャビティー内にブチルゴム組成物を投入してブチルゴムでなる軟質部２２を成形する。この時、係合部１６と軟質部２２はブチルゴム接着剤によって接着される。最後に金型から固着している軟質部２２と係合部１６を脱型して緩衝部材２１を得ることができる。
【００６３】
ここで第５実施形態の緩衝部材２１をハードディスク装置２に装着し格納部１ａに収納する実施形態を説明する。ハードディスク装置２の両長手側面３ｃ，３ｃに、緩衝部材２１，２１の溝部２３ａを係合して、緩衝部材２１，２１を装着する。次に側面支持部２２ａの両端面に「固着部」としての両面テープ１８を貼着する。そしてこのハードディスク装置２をノートＰＣ１の格納部１ａに収納する。このとき側面支持部２２ａの両端面は、両面テープ１８によって格納部１ａの内面に貼着され、樹脂フィルム２３の導電層は筐体３の導電部と格納部１ａの導電部に接触し、筐体３の導電部と格納部１ａの導電部とを導電接続する。
【００６４】
第５実施形態の緩衝部材２１は、第１実施形態の緩衝部材５と同様の作用と効果を発揮するほか、さらに次の作用・効果を発揮する。
【００６５】
緩衝部材２１では、樹脂フィルム２３に積層した導電層が筐体３の導電部と格納部１ａの導電部とを導電接続するため、ハードディスク装置２に蓄積される静電気を樹脂フィルム２３の導電層を通して格納部１ａ又は格納部１ａと導通するノートＰＣ１の筐体へ逃がすことができる。よってハードディスク装置２の誤動作を防ぐことができる。
【００６６】
第５実施形態の変形例
第５実施形態の「保形芯材」を導電層を積層している樹脂フィルム２３として例示したが、他の樹脂フィルム２３の材質としてポリエチレンナフタレート樹脂、ポリイミド樹脂とすることも可能である。また、導電層としてＩＴＯ膜や銅箔などを例示したが、銀インクやカーボンインクで導電層を形成することもできる。さらに、薄いステレンス板とすることも可能である。このようにすれば、ステンレス板自体に導電性があるため、別途導電層を設ける必要がなく、またステンレス板は表裏に関係なく導電接続ができる。よって製造の手間がかからず緩衝部材を得ることができる。
【００６７】
第３，第４実施形態に共通の変形例
第３，第４実施形態の緩衝部材１４，１９では、剛性のある係合部１６を備えているが、この係合部１６の溝部１６ａのうち筐体３との対向面（係止面）に突起１６ｂ，１５ｄを設けることも可能である。以下、第３実施形態の緩衝部材１４を例示して説明する。
【００６８】
第１変形例としては、図１５（Ａ）で示すように、係合部１６を形成する硬質樹脂でなる半球状の突起１６ｂを設けている。このようにすると突起１６ｂがハードディスク装置２の筐体３を強く押さえるため、係合部１６を筐体３に対し確実に固定できる。なお、突起１６ｂは円柱形状、角柱形状、円錐台形状、角錐台形状でも使用でき、その数も１つだけでなく複数設けることもできる。
【００６９】
第２変形例としては、図１５（Ｂ）で示すように、係合部１６に貫通孔を形成しこの孔内を通って溝部１６ａの筐体３との対向面に突出させ、軟質部１５を形成するゴム状弾性体でなる突起１５ｄを設けている。このようにすると突起１５ｄがハードディスク装置２の筐体３を弾性的に押さえるため、第１変形例より小さな荷重で係合部１６を筐体３に対し確実に固定できる。
【００７０】
各実施形態に共通の変形例〔図１６〕
前述の各実施形態では、緩衝部材５，８，１４，１９，２１の長手方向の端部を切り落とし形状として例示したが、他の形態で実施することも可能である。ここでは第３実施形態の緩衝部材１４に適用する例を説明する。第３実施形態の変形例による緩衝部材１４では、図１６で示すように緩衝部材１４の両端部に、ハードディスク装置２の筐体３の短手側面３ｄに沿って屈曲する保持部２４を設けている。断面コ字状の軟質部１５と保形芯材１６は何れも、保持部２４の屈曲形状と合致するように形成されている。このような平面視でかすがい形状の緩衝部材１４によれば、緩衝部材１４の保持部２４をハードディスク装置２の筐体３の短手側面３ｄに対して係止させることができる。このため衝撃や振動によってハードディスク装置２の筐体３の長手側面３ｃの長手方向に沿って、ハードディスク装置２と緩衝部材１４との相対的な位置ずれを阻止することができるとともに、該長手方向における衝撃を吸収し、振動を減衰することができるようになる。
【図面の簡単な説明】
【００７１】
【図１】第１実施形態の緩衝部材をハードディスク装置への装着状態を示す外観斜視図。
【図２】第１実施形態の緩衝部材をハードディスク装置に装着した状態の正面図。
【図３】分図３（Ａ）は、第１実施形態の緩衝部材を示す斜視図、分図３（Ｂ）は、第１実施形態の緩衝部材の変形例を示す斜視図。
【図４】第２実施形態の緩衝部材を示す斜視図。
【図５】第２実施形態の緩衝部材をハードディスク装置に装着し格納部に収納した取付構造を模式的に示す内部説明図。
【図６】第２実施形態の緩衝部材の変形例を示す斜視図。
【図７】第３実施形態の緩衝部材を示す斜視図。
【図８】第３実施形態の緩衝部材をハードディスク装置に装着し格納部に収納した第１取付構造を模式的に示す内部説明図。
【図９】第１取付構造で落下衝撃を受けた際の緩衝部材の説明図で、分図（Ａ）は第３実施形態における緩衝部材の説明図、分図（Ｂ）は従来例における緩衝部材の説明図、分図（Ｃ）は他の従来例における緩衝部材の説明図。
【図１０】第３実施形態の緩衝部材をハードディスク装置に装着し格納部に収納した第２取付構造を模式的に示す内部説明図。
【図１１】第２取付構造で落下衝撃を受けた際の第３実施形態における緩衝部材の説明図。
【図１２】第４実施形態の緩衝部材をハードディスク装置に装着し格納部に収納した取付構造を模式的に示す内部説明図。
【図１３】第５実施形態の緩衝部材を示す斜視図。
【図１４】第５実施形態の緩衝部材をハードディスク装置に装着し格納部に収納した取付構造を模式的に示す内部説明図。
【図１５】分図１５（Ａ）は緩衝部材の第１変形例を示す斜視図、分図１５（Ｂ）は緩衝部材の第２変形例を示す斜視図。
【図１６】第１〜第５実施形態の緩衝部材の変形例を示す斜視図。
【図１７】一従来例による緩衝部材の取付状態を示すハードディスク装置とノートＰＣの外観斜視図。
【図１８】一従来例の緩衝部材をハードディスク装置に装着し格納部に収納した取付構造を模式的に示す内部説明図。
【符号の説明】
【００７２】
１    ノートＰＣ（情報処理装置）
１ａ  格納部
１ｂ  蓋
１ｃ  貫通孔
２    ハードディスク装置（外部記憶装置）
３    筐体
３ａ  上面
３ｂ  底面
３ｃ  長手側面
３ｄ  短手側面
４    緩衝部材（従来例）
４ａ  側面支持部
４ｂ  上面支持部
４ｃ  底面支持部
５    緩衝部材（第１実施形態）
６    軟質部
６ａ  側面支持部
６ｂ  上面支持部
６ｃ  底面支持部
７    保形芯材
８    緩衝部材（第２実施形態）
９    軟質部
９ａ  側面支持部
９ｂ  上面支持部
９ｃ  底面支持部
１０    係合部
１０ａ  溝部
１１    緩衝部材（第２実施形態の変形例）
１２    軟質部
１２ａ  側面支持部
１２ｂ  上面支持部
１２ｃ  底面支持部
１３ａ  係合部
１３ｂ  係合部
１４    緩衝部材（第３実施形態）
１５    軟質部
１５ａ  側面支持部
１５ｂ  上面支持部
１５ｃ  底面支持部
１５ｄ  突起
１６    係合部
１６ａ  溝部
１６ｂ  突起
１７    緩衝部材（従来例）
１７ａ  側面支持部
１７ｂ  上面支持部
１７ｃ  底面支持部
１８    両面テープ
１９    緩衝部材（第４実施形態）
２０    軟質部
２０ａ  側面支持部
２０ｂ  上面支持部
２０ｃ  底面支持部
２０ｄ  取付突起
２１    緩衝部材（第５実施形態）
２２    軟質部
２２ａ  側面支持部
２２ｂ  上面支持部
２２ｃ  底面支持部
２３    樹脂フィルム
２３ａ  溝部
２４    保持部
【図１】
2009087455.tif 000003
【図２】
2009087455.tif 000004
【図３】
2009087455.tif 000005
【図４】
2009087455.tif 000006
【図５】
2009087455.tif 000007
【図６】
2009087455.tif 000008
【図７】
2009087455.tif 000009
【図８】
2009087455.tif 000010
【図９】
2009087455.tif 000011
【図１０】
2009087455.tif 000012
【図１１】
2009087455.tif 000013
【図１２】
2009087455.tif 000014
【図１３】
2009087455.tif 000015
【図１４】
2009087455.tif 000016
【図１５】
2009087455.tif 000017
【図１６】
2009087455.tif 000018
【図１７】
2009087455.tif 000019
【図１８】
2009087455.tif 000020